(57)【要約】【課題】  建物の二重天井構造に関し、重量床衝撃音の遮断性能に優れた天井懐の狭い二重天井構造を提供することを課題とする。【解決手段】  天井スラブ２に固定される断面略Ｃ字状の野縁受け１０と、野縁受けの両係合板部３４，３４に係止され、中央に調整ボルト４を係止させた調整プレート６と、断面略Ｃ字状の野縁１２の両屈曲板部３８，３８に係着され、基板２７の中央部に支持体３０が固定された野縁受け具８と、を有し、野縁受け１０の下方に、野縁受けと交差する方向に野縁１２を配置して、調整ボルト４の下方に野縁受け具８を位置させ、野縁の下板部３６に設けた操作孔部１３から、工具を用いて支持体３０の上部に介在する調整ボルト４を回転操作して、この調整ボルト４を支持体３０に螺着し、野縁受け具８と調整プレート６とを連結して野縁１２を野縁受け１０に取り付け、野縁に天井ボード１４を張り付けた構成である。【選択図】  図１
2010106526.tif 000002
【特許請求の範囲】
【請求項１】
天井スラブに所定の間隔をおいて配置され、上板部が天井スラブに固定される断面略Ｃ字状の野縁受けと、
上記野縁受けの上記上板部の両端部から下向きの両側板部を経てそれぞれ内側に屈曲する両係合板部に係止され、中央の孔部に調整ボルトの頭部を係止させた調整プレートと、
下板部から上向きの両側板を経て内側に屈曲する両屈曲板部が形成された断面略Ｃ字状の野縁と、
上記野縁の両屈曲板部に基板が係着され、上記基板の中央部に内周に雌ねじが刻設された支持体が固定された野縁受け具と、を有し、
上記野縁受けの下方に、当該野縁受けと交差する方向に上記野縁を配置して、上記調整ボルトの下方に上記野縁受け具を位置させ、上記野縁の下板部に設けた操作孔部から、工具を用いて上記支持体の上部に介在する上記調整ボルトを回転操作して、この調整ボルトを上記支持体に螺着し、上記野縁受け具と上記調整プレートとを連結して上記野縁を上記野縁受けに取り付け、
上記野縁に天井ボードを張り付けたことを特徴とする二重天井構造。
【請求項２】
上記天井スラブと上記天井ボードの上面との空間間隔を５０ｍｍ以内としたことを特徴とする請求項１記載の二重天井構造。
【請求項３】
上記調整ボルトの頭部の下部を皿状に形成したことを特徴とする請求項１又は２記載の二重天井構造。
【請求項４】
上記野縁受け具の両側に、それぞれ基板の一部を切り起こして形成した挟持片を設け、上記基板と上記挟持片との間にそれぞれ上記野縁の両屈曲板部を係着したことを特徴とする請求項１、２又は３記載の二重天井構造。
【発明の詳細な説明】
【技術分野】
【０００１】
本発明は、建物の二重天井構造に関する。
【背景技術】
【０００２】
通常、マンション等で施工される二重天井構造は、天井スラブと天井材との間の天井懐の天井空気層を１００〜１５０ｍｍ程度の範囲で施工する場合が多い。このような天井懐の二重天井では、天井空気層と天井面材（石膏ボード）との関係により床衝撃音の共振現象が見られる。
【０００３】
図８は、上記共振現象に関する社内試験結果（実測値）を示したものであり、天井空気層と天井面材（石膏ボード）による重量床衝撃音低減性能について、天井空気層と天井面材（石膏ボード）による共振周波数の関係が表されている。この関係からすれば、天井面材に石膏ボードを使用することを前提にした場合、特に日常の生活で発生する６３Ｈｚ近傍の重量床衝撃音に関して、上記共振現象を引き起こさないためには、天井空気層を３００ｍｍ以上に広げる方法、或いは天井空気層を５０ｍｍ以内に狭くする方法の２通りが考えられる。
前者の方法では居室スペースの確保が問題となるため、後者の天井空気層を５０ｍｍ以内に狭くする方法が居室スペースの広さから有効である。
【０００４】
ここで、天井懐の狭い天井構造に関連するものとして、例えば特許文献１には図９に示すように、係合部材５０と、下地部材５２と固定用チャンネル５４から構成された下地部材組立体が開示されている。この組立体は、下地部材５２の第一のリップ部５６及び第二のリップ部５７をそれぞれ係合部材５０の台形部５５の左右の辺５８，５９にそれぞれ係合させ、次いで係合部材５０の端部をそれぞれ固定用チャンネル５４に係合させたものである。そして、上記組立体を天井面６０に配置し、上記固定用チャンネル５４の側面を壁面にアンカーボルトを用いて取り付けて下地部材を組立てる。
これにより上記組立体によれば、係合部材と下地部材との係合をワンタッチで行えて工期の短縮を図ることができ、また天井躯体と下地部材組立体との間に殆んどスペースが要求されないというものである。
【０００５】
また、特許文献２にはスタッド取付具の記載があり、これはレール材に取り付けられる第１取付部材と、スタッドを挟持する第２取付部材を用いて、上記レール材にスタッドを取り付けるものであり、このスタッド取付具によれば壁体の激しい不陸を吸収しまた耐震性に優れるというものである。
【０００６】
【特許文献１】特許第４０２４４８９号公報
【特許文献２】特開平９−２５６５９０号公報
【発明の開示】
【発明が解決しようとする課題】
【０００７】
さて、従来の天井懐が１００〜１５０ｍｍの二重天井構造では、上記社内試験結果より共振現象が６３Ｈｚ帯域で起こり重量床衝撃音遮断性能の悪化を引き起こすという問題があった。
これに対しては、上述したように天井懐を５０ｍｍ以下の二重天井構造を採用することで対処可能であるが、上記天井懐のスペースを狭くできる特許文献１の下地部材組立体は、天井面の不陸に対応するのが困難であり、また高さ調整を行なうのも不便であるという問題がある。また、特許文献２のスタッド取付具は、激しい不陸を吸収することは可能であるが、構造が複雑でありまた部品点数が多くて施工性にも欠けるという問題がある。
【０００８】
本発明は、上記問題点に鑑みてなされたものであり、重量床衝撃音の遮断性能に優れた天井懐の狭い二重天井構造を提供することを目的としている。
【課題を解決するための手段】
【０００９】
以上の技術的課題を解決するため、本発明に係る二重天井構造は、図１，２に示すように、天井スラブ２に所定の間隔をおいて配置され、上板部３２が天井スラブ２に固定される断面略Ｃ字状の野縁受け１０と、上記野縁受けの上記上板部３２の両端部から下向きの両側板部を経てそれぞれ内側に屈曲する両係合板部３４，３４に係止され、中央の孔部２４に調整ボルト４の頭部を係止させた調整プレート６と、下板部３６から上向きの両側板を経て内側に屈曲する両屈曲板部３８，３８が形成された断面略Ｃ字状の野縁１２と、上記野縁１２の両屈曲板部３８，３８に基板２７が係着され、上記基板２７の中央部に内周に雌ねじが刻設された支持体３０が固定された野縁受け具８と、を有し、上記野縁受け１０の下方に、当該野縁受けと交差する方向に上記野縁１２を配置して、上記調整ボルト４の下方に上記野縁受け具８を位置させ、上記野縁の下板部３６に設けた操作孔部１３から、工具を用いて上記支持体３０の上部に介在する上記調整ボルト４を回転操作して、この調整ボルト４を上記支持体３０に螺着し、上記野縁受け具８と上記調整プレート６とを連結して上記野縁１２を上記野縁受け１０に取り付け、上記野縁に天井ボード１４を張り付けた構成である。
【００１０】
本発明に係る天井二重構造は、上記天井スラブ２と上記天井ボード１４の上面との空間間隔を５０ｍｍ以内とした構成である。
【００１１】
本発明に係る天井二重構造は、上記調整ボルト４の頭部２２の下部を皿状に形成した構成である。
【００１２】
本発明に係る天井二重構造は、上記野縁受け具８の両側に、それぞれ基板の一部を切り起こして形成した挟持片２８を設け、上記基板と上記挟持片２８との間にそれぞれ上記野縁１２の両屈曲板部３８，３８を係着した構成である。
【発明の効果】
【００１３】
本発明に係る二重天井構造によれば、野縁受け、野縁受けに係止され、中央の孔部に調整ボルトの頭部を係止させた調整プレート、及び野縁に係着され、基板の中央に支持体が固定された野縁受け具を有し、野縁受けの下方にこれと交差する方向に野縁を配置して、野縁の操作孔部から工具を用いて支持体の上部に介在する調整ボルトを回転操作し、調整ボルトを支持体に螺合して野縁を野縁受けに取り付け野縁に天井ボードを張り付けた構成を採用したから、野縁受け具の位置調節により野縁を天井スラブに固定した野縁受けの近傍まで近づけることができ、このため天井空気層５０ｍｍ以下とすることが可能となり重量床衝撃音による振動が防止でき、加えて広い居住空間を確保することができ、また高さ調節が容易に行なえ、施工も簡単で施工性にも優れるという効果を奏する。
【００１４】
本発明に係る二重天井構造によれば、調整ボルトの頭部の下部を皿状に形成した構成としたから、調整プレートの孔部に係止された調整ボルトは向きを自由に変えることができるため、天井スラブに傾いて野縁受けが固定された場合であっても、調整ボルトを真下方向に向けて野縁を水平に配置することができ、天井スラブに不陸があっても正常に野縁を配置することができるという効果がある。
【００１５】
本発明に係る二重天井構造によれば、野縁受け具の両側に、それぞれ基板の一部を切り起こして形成した挟持片を設けて野縁の両屈曲板部を係着した構成を採用したから、上記係着の作業が容易に行なえ、また野縁受け具に野縁が確実に固定できて、地震等の揺れ、振動によっても野縁が外れることはなく耐震性にも優れるという効果がある。
【発明を実施するための最良の形態】
【００１６】
以下、本発明の実施の形態に係る二重天井構造を図面に基づいて説明する。この二重天井構造は、集合住宅或いはオフィスビル等に適用可能である。
図１は、上記二重天井構造の一部を示すものである。この二重天井構造は、調整ボルト４、調整プレート６、野縁受け具８、野縁受け１０、野縁１２及び天井ボード１４を有する構成である。また、上記野縁受け１０を天井スラブ２に固定するためにコンクリートピン１６を用いる。
【００１７】
図２，３に示すように上記調整ボルト４は、軸体２０の上部に皿状の頭部２２が設けられ、この軸体２０の略全体に螺子溝が刻設された形態であり、鋼材或いは合成樹脂材からなるものである。また上記調整ボルト４は、頭部２２の下面部に円錐の皿状の斜面部２１が形成され、また軸体２０の下部には回転工具用の溝部２３が設けられている。
【００１８】
上記調整プレート６は長方形状の鋼板からなり、プレートの中央部に長方形の孔部２４が設けられ、また一方の対角位置の角部を円弧状に切除した円弧部２６，２６が形成された形状である。
上記野縁受け具８には、基板２７となる長方形状の鋼板の両短辺側の中央部に、この基板の一部を基板と平行な形状に切り起こした挟持片２８，２８がそれぞれ形成されている。また、野縁受け具８の基板２７の中央部には、この位置に設けた孔部の周囲に、内周に雌ねじが刻設された円筒状の支持体３０がカシメ或いは溶接等によって固定されている。
【００１９】
上記野縁受け１０は、上板部３２、側板部３３，３３及び各側板部からそれぞれ内側に屈曲した係合板部３４，３４が形成された断面略Ｃ字状の長尺鋼材である。上記野縁１２は、下板部３６、側板部３７，３７及び各側板部からそれぞれ内側に屈曲した屈曲板部３８，３８が形成された断面略Ｃ字状の長尺鋼材である。また、野縁１２の下板部３６には所定間隔をおいて円形の操作孔部１３が開設されている。
天井ボード１４は、石膏ボードであり板厚は例えば９．５ｍｍ、或いは１２．５ｍｍのものを使用する。
【００２０】
さて、上記二重天井の施工に際しては、先ず上記野縁受け１０を天井スラブ２に固定する。この野縁受け１０は、天井スラブ２に配置した野縁受け１０の上板部３２の数箇所にコンクリートピン１６を打ち込んで天井スラブ２に固定する。
そして、図３（ａ）（ｂ）に示すように、上記野縁受け１０に調整プレート６を取り付ける。この調整プレート６は、その孔部２４に調整ボルト４の軸体２０を差し込み、その頭部２２を孔部２４に係止させておく。
【００２１】
上記調整プレート６の孔部２４に頭部２２を係止させた調整ボルト４は、この頭部２２の下面の円錐状の斜面部２１により、調整プレート６に対する角度をこれと直交する角度位置から所定範囲で自由に変えることができる。
このため、例えば野縁受け１０が天井スラブ２に水平状態から傾いて取り付けられ、調整プレート６も水平位置から傾いた状態であっても、調整ボルト４の角度を変えて調性しこれを正常な真下（鉛直）の方向に向けることができる。
また上記孔部２４の孔形状を長方形としたことにより、この孔部２４内の調整ボルト４を長尺方向に移動させてその位置調整を行なうことができる。
【００２２】
上記調整プレート６は図３（ａ）に示すように、その長尺方向を野縁受け１０の長尺方向に向けて係合板部３４，３４間の開口部から野縁受け１０の内部に嵌め入れ、さらにこの調整プレート６を９０°回転させる（ここでは右回り）。このとき、調整プレート６は円弧部２６，２６が野縁受け１０の側板部３３，３３に摺接しつつ回り、調整プレート６の長辺の向きが野縁受け１０と直交する位置で止める。
【００２３】
この位置では、調整プレート６の短辺部が略野縁受け１０の側板部３３，３３に当接し、かつ調整プレート６の端部が野縁受け１０の両係合板部３４，３４に係止された状態となる。またこの状態では、調整プレート６の孔部２４は、野縁受け１０の端尺方向に長い長孔をなす形態であるから、この方向に調整ボルト４を移動して位置調整することが可能となる。
【００２４】
これと同様にして、図４に示すように野縁受け１０に他の調整プレート６（調整ボルト４付き）を係着する。なお、上記調整プレート６（調整ボルト４付き）は、予め上記のようにして野縁受け１０に係着しておき、この野縁受け１０を天井スラブ２に固定するようにしてもよい。
【００２５】
次に図５に示すように、上記野縁１２に野縁受け具８を取り付ける。この野縁受け具８は、その基板２７とこの両端部に設けられた挟持片２８，２８との間に、それぞれ野縁１２の屈曲板部３８，３８を挟持して取り付ける。そして、この状態で野縁受け具８を野縁１２の長尺方向に摺動移動させ、野縁１２の下板部３６に設けた操作孔部１３の位置に野縁受け具８の中心に設けた支持体３０が向かい合う状態になる位置で固定する。
これは後述するように、上記操作孔部１３からドライバー等の工具を差し込み、野縁受け具８の支持体３０に螺着される調整ボルト４を回転操作するためである。同様にして、必要な数の野縁受け具８を野縁１２に取り付ける。
【００２６】
そして図６に示すように、上記天井スラブ２に野縁１２を取り付ける。まず、野縁１２の端部が位置する天井スラブ２の両端部の下方にランナー４０を固定する。上記ランナー４０は、断面略コ字状の鋼製の長尺材である。各ランナー４０はそれぞれ、天井スラブ２近傍の壁スラブなどに止着具を用いて固定する。
【００２７】
次に、上記野縁１２を上記ランナー４０間に架設し、野縁１２の両端部をそれぞれランナー４０の溝部に差し込んで支持させる。野縁１２の端部は、ビス等を用いてランナー４０に止着する。上記野縁１２は、先に固定した野縁受け１０と直交する方向に配置し、各野縁１２は互いに一定間隔をおいて平行に取り付ける。
【００２８】
この場合、上記野縁１２に取り付けた上記野縁受け具８の支持体３０が、上記野縁受け１０に取り付けた調整ボルト４の真下に位置するように調整して野縁１２を配置する。
このとき、天井スラブ２の表面の不陸、傾き等により野縁受け１０が傾いて取り付けられた場合には、この野縁受け１０に取り付けた調整プレート６に係止される上記調整ボルト４の軸体２０の角度を調整して軸体２０を鉛直に向けることができる。またこの調整ボルト４は、調整プレート６の孔部２４を長孔方向に移動して位置を調整することもできる。
【００２９】
こうして上記野縁１２の中間部を、上記野縁受け１０に取り付ける。この取り付けに際しては、野縁受け１０の調整プレート６に係着された調整ボルト４の下部に位置し、野縁１２に配置した野縁受け具８の支持体３０に対して、この支持体３０の下方の野縁１２の操作孔部１３から工具を差し込み、これを上記支持体３０の孔の上部に介在する調整ボルト４の溝部２３に嵌めてこの調整ボルト４を回転させ、調整ボルト４の軸体２０を上記支持体３０に螺着する。またこのとき、調整ボルト４を回転調整して野縁１２の高さ位置を調整し、野縁１２を水平に維持する。
【００３０】
こうして上記野縁受け具８と上記調整プレート６とが連結され、この野縁受け具８を取り付けた野縁１２が調整プレート６を取り付けた野縁受け１０に接続される。上記野縁１２は、隣り同士のものを一定間隔をおいて平行に配設する。野縁１２の取り付けが終了すると、各野縁１２の下部に天井ボード１４を張り付けて敷設し二重天井構造の天井を仕上げる。
【００３１】
図７は、上記二重天井構造の断面を示したものである。この二重天井構造の基本構造は、野縁受け１０、野縁１２及び天井ボード１４からなり、上記調整プレート６、調整ボルト４及び野縁受け具８を用い、調整ボルト４に螺着される野縁受け具８の位置を調節することにより、この野縁受け具８が支持する野縁１２の高さ位置を天井スラブ２に固定された野縁受け１０に近づけることができる。このため、天井懐となる天井空気層（天井スラブ２面から天井ボード１４の上面までの空間間隔）を５０ｍｍ以下とすることが可能となり、重量床衝撃音の決定周波数である６３Ｈｚ近傍の帯域における共振現象の発生が防止でき、重量衝撃音の振動防止に寄与する。
【００３２】
従って、上記実施の形態によれば、野縁受け具の位置を調節することにより野縁１２を天井スラブに近づけることができ、このため天井空気層５０ｍｍ以下とすることができて重量床衝撃音による振動が防止でき、加えて広い居住空間を確保することができる。また、野縁受け１０に調整プレート６を介して取り付けられた調整ボルト４は向き及びその位置を自由に変えることができるため、天井スラブに傾いて野縁受け１０が固定された場合であっても、調整ボルト４を真下方向に向けて野縁１２を水平に配置することができ、また野縁受け１０に簡単に野縁１２が取り付けられ施工も容易に行なえる。
【図面の簡単な説明】
【００３３】
【図１】本発明の実施の形態に係る二重天井構造の部分断面図である。
【図２】実施の形態に係り、野縁受けに野縁を取り付ける状態を示す分解図である。
【図３】実施の形態に係り、（ａ）は野縁受けに調整プレートを装着する状態を、（ｂ）は調整プレートに調整ボルトを係止させる状態を示す図である。
【図４】実施の形態に係り、野縁受けに調整プレートを取り付ける状態を示す図である。
【図５】実施の形態に係り、野縁に野縁受け具を取り付ける状態を示す図である。
【図６】実施の形態に係り、野縁受けに野縁を取り付ける状態を示す図である。
【図７】実施の形態に係る二重天井構造の断面を示す図である。
【図８】天井空気層と天井面材（石膏ボード）による重量床衝撃音低減性能の実測値を示すものである。
【図９】従来例に係る下地部材組立体を示す図である。
【符号の説明】
【００３４】
２  天井スラブ
４  調整ボルト
６  調整プレート
８  野縁受け具
１０  野縁受け
１２  野縁
１３  操作孔部
１４  天井ボード
２２  頭部
２４  孔部
２７  基板
２８  挟持片
３０  支持体
３２  上板部
３４  係合板部
３６  下板部
３８  屈曲板部
【図１】
2010106526.tif 000003
【図２】
2010106526.tif 000004
【図３】
2010106526.tif 000005
【図４】
2010106526.tif 000006
【図５】
2010106526.tif 000007
【図６】
2010106526.tif 000008
【図７】
2010106526.tif 000009
【図８】
2010106526.tif 000010
【図９】
2010106526.tif 000011